(57)【特許請求の範囲】
【請求項１】
ＭＮＯ（Ｍｏｂｉｌｅ Ｎｅｔｗｏｒｋ Ｏｐｅｒａｔｏｒ）およびプライベートモバイルネットワーク（Ｐｒｉｖａｔｅｍｏｂｉｌｅ ｎｅｔｗｏｒｋ）のいずれかを含むＩＰ網およびＰＳＴＮ（ＰｕｂｌｉｃＳｗｉｔｃｈｅｄ Ｔｅｌｅｐｈｏｎｅ Ｎｅｔｗｏｒｋ）を利用してｍＶＯＩＰ（ｍｏｂｉｌｅ Ｖｏｉｃｅ ｏｖｅｒ Ｉｎｔｅｒｎｅｔ Ｐｒｏｔｏｃｏｌ）環境を実現し、これにより、音声通話をサポートするアプリ（Ａｐｐ）がインストール可能な発信者端末および受信者端末にネットワーク接続され、
前記アプリ（Ａｐｐ）が前記発信者端末にインストールされる場合、前記発信者端末が前記受信者端末に呼接続を要求するとき、前記アプリ（Ａｐｐ）を介して前記発信者端末の接続網、前記接続網の状態および音声通話オプションの少なくとも一つを含む網状態情報を獲得し、
前記網状態情報に基づいて前記発信者端末と前記受信者端末との間の最低コストルートおよび最適品質ルートのいずれかを通信ルートとして設定し、
前記通信ルートは、前記発信者端末と前記受信者端末とのネットワーク接続をそれぞれの側において前記ＩＰ網および前記ＰＳＴＮのいずれを介して行うかの選択を含む前記ＩＰ網および前記ＰＳＴＮの選択的組み合わせによって形成されることを特徴とする、異種網を利用した通話システム。
【請求項２】
前記音声通話オプションは最低通話コストオプション、無料通話オプションおよび最適通話品質オプションのいずれか一つであることを特徴とする、請求項１に記載の異種網を利用した通話システム。
【請求項３】
前記異種網を利用した通話システムは、
前記ＩＰ網および前記ＰＳＴＮのいずれかを介して前記発信者端末と通信を行う第１メディアゲートウェイと、
前記ＩＰ網および前記ＰＳＴＮのいずれかを介して前記受信者端末と通信を行う第２メディアゲートウェイと、
前記発信者端末が前記受信者端末に呼接続を要求するとき、前記発信者端末および前記受信者端末のいずれかに対してユーザー登録およびログイン接続のいずれか一つを処理するＶＯＩＰサーバーと、
前記発信者端末から前記網状態情報を獲得するメッセージ処理サーバーと、
前記メッセージ処理サーバーから獲得した前記網状態情報を用いて前記発信者端末と前記受信者端末との間の通信ルートを形成するルートおよびコール処理サーバーとを含んでなることを特徴とする、請求項１に記載の異種網を利用した通話システム。
【請求項４】
前記第１メディアゲートウェイは、
前記発信者端末にＩＰ網を介して接続されるＶＯＩＰゲートウェイと、
前記発信者端末に電話網を介して接続されるＰＳＴＮゲートウェイとを含んでなることを特徴とする、請求項３に記載の異種網を利用した通話システム。
【請求項５】
前記第２メディアゲートウェイは、
前記受信者端末にＩＰ網を介して接続されるＶＯＩＰゲートウェイと、
前記受信者端末に電話網を介して接続されるＰＳＴＮゲートウェイとを含んでなることを特徴とする、請求項３に記載の異種網を利用した通話システム。
【請求項６】
前記ＶＯＩＰゲートウェイは、
Ｈ．３２３、ＳＩＰ（Ｓｅｓｓｉｏｎ Ｉｎｉｔｉａｔｉｏｎ Ｐｒｏｔｏｃｏｌ）、ＭＧＣＰ（Ｍｅｄｉａ Ｇａｔｅｗａｙ Ｃｏｎｔｒｏｌ Ｐｒｏｔｏｃｏｌ）、ＩＡＸ（Ｉｎｔｅｒ−ＡｓｔｅｒｉｓｋｅＸｃｈａｎｇｅ）、ＷｅｂＲＴＣ（Ｗｅｂ Ｒｅａｌ−Ｔｉｍｅ Ｃｏｍｍｕｎｉｃａｔｉｏｎ）、ＲＴＰ（Ｒｅａｌ−Ｔｉｍｅ Ｔｒａｎｓｐｏｒｔ Ｐｒｏｔｏｃｏｌ）、ＳＲＴＰ（Ｓｅｃｕｒｅ Ｒｅａｌ−Ｔｉｍｅ Ｔｒａｎｓｐｏｒｔ Ｐｒｏｔｏｃｏｌ）およびＲＴＣＰ（ＲＴＰＣｏｎｔｒｏｌ Ｐｒｏｔｏｃｏｌ）のうちの少なくとも一つのプロトコルに応じて、前記発信者端末または前記受信者端末と音声通信を行い、
前記ＰＳＴＮゲートウェイは、
Ｎｏ．７（ＳＳ７）、ＩＳＤＮ ＢＲＩ、ＩＳＤＮ ＰＲＩ、Ｅ１／Ｔ１ ＭＦＣ−Ｒ２、Ｅ１／Ｔ１ＣＡＳ、Ｔ１ Ｒｏｂｂｅｄ−Ｂｉｔ、ＡｎａｌｏｇＬｏｏｐ Ｓｔａｒｔ、ＡｎａｌｏｇＧｒｏｕｎｄ Ｓｔａｒｔ、ＡｎａｌｏｇＫｏｏｌ Ｓｔａｒｔ、ＧＳＭ（登録商標）、ＣＤＭＡ、ＷＣＤＭＡ（登録商標）、ＬＴＥ、およびＬＴＥＡｄｖａｎｃｅｄのうちの少なくとも一つのプロトコルに応じて、前記発信者端末または前記受信者端末と音声通信を行うことを特徴とする、請求項４または５に記載の異種網を利用した通話システム。
【請求項７】
前記受信者端末は、
フィーチャーフォン、スマートフォン、有線電話およびインターネット電話のいずれか一つであることを特徴とする、請求項１に記載の異種網を利用した通話システム。
【請求項８】
発信者端末とのＩＰ網を介したネットワーク接続および前記発信者端末とのＰＳＴＮを介したネットワーク接続が可能であり、前記発信者端末に前記ＩＰ網および前記ＰＳＴＮのいずれかを介してネットワーク接続される第１メディアゲートウェイと；
受信者端末とのＩＰ網を介したネットワーク接続および前記受信者端末とのＰＳＴＮを介したネットワーク接続が可能であり、前記受信者端末に前記ＩＰ網および前記ＰＳＴＮのいずれかを介してネットワーク接続される第２メディアゲートウェイと；
前記発信者端末および前記受信者端末のいずれかにインストールされるアプリ（Ａｐｐ）を介して前記発信者端末および前記受信者端末のいずれか一つの接続網、網状態および音声通話オプションを含む網状態情報を獲得するメッセージ処理サーバーと；
前記網状態情報を参照して通信コストおよび通話品質のいずれかによる通信ルートを形成するルートおよびコール処理サーバーと；を含み、
前記通信ルートは、前記発信者端末と前記受信者端末とのネットワーク接続をそれぞれの側において前記ＩＰ網および前記ＰＳＴＮのいずれを介して行うかの選択を含む前記ＩＰ網および前記ＰＳＴＮの選択的組み合わせによって形成されることを特徴とする、異種網を利用した通話システム。
【請求項９】
前記網状態情報は、
前記発信者端末または前記受信者端末が属する通信網、前記通信網の品質および音声通話オプションのうちの少なくとも一つを含むことを特徴とする、請求項８に記載の異種網を利用した通話システム。
【請求項１０】
前記音声通話オプションは、
最低通話コストオプション、無料通話オプションおよび最適通話品質オプションのいずれかであることを特徴とする、請求項９に記載の異種網を利用した通話システム。
【発明の詳細な説明】
【技術分野】
【０００１】
本発明は、通話システムに係り、さらに詳しくは、携帯端末にボイストークのためのアプリがインストールされていない状態でも、プライベートモバイルネットワーク、ＭＮＯ（Ｍｏｂｉｌｅ Ｎｅｔｗｏｒｋ Ｏｐｅｒａｔｏｒ）およびＰＳＴＮを組み合わせて音声通話をサポートする、異種網を利用した通話システムに関する。
【背景技術】
【０００２】
携帯電話およびスマートフォンで広く利用されているインスタントメッセンジャーサービスとしてカカオトーク（Ｋａｋａｏ ｔａｌｋ）が広く用いられており、現在、音声通信を無料で提供するボイストーク（Ｖｏｉｃｅ ｔａｌｋ）も発売されている。インスタントメッセンジャーサービスやボイストークなどのＶＯＩＰベースのサービスは、カカオアプリのように、インスタントメッセージや音声パケットを送受信するための専用アプリが発信者側と受信者側の携帯端末にインストールされていなければならない。専用アプリは、図１に示すように、通信会社が提供するＭＮＯ（Ｍｏｂｉｌｅ Ｎｅｔｗｏｒｋ Ｏｐｅｒａｔｏｒ）を用いてインスタントメッセージや音声パケットを送受信し、発信者の通信会社と受信者の通信会社とが異なる場合、互いに異なる通信会社に所属するＭＮＯが連携されてインスタントメッセージや音声パケットを送受信することができる。
【０００３】
すなわち、従来のインスタントメッセージや音声パケットは、発信者と受信者側の携帯端末に同じ専用アプリがインストールされなければならず、専用アプリが両方の携帯端末にインストールされている場合にのみインスタントメッセージや音声パケットを交換することができる。
【０００４】
専用アプリに対する問題を解決するために、韓国特許公開２００１−００６１９８９号は、メッセージ受信者の電話番号を知っているとき、発信者が受信者の電話番号をアカウントのように用いてインスタントメッセージを受信者に提供するインスタントメッセンジャーシステムを提案している。ところが、 韓国特許公開２００１−００６１９８９号は、受信者の電話番号をアカウントとして用いてショートメッセージを交換することができても、ｍＶＯＩＰベースの無料音声通話をサポートすることはできない。
【０００５】
現在、インスタントメッセンジャーサービスを提供するカカオ（株）からボイストークを提供しており、無料で音声通話を行うことができるようにしているが、これもまた、同じ専用アプリがインストールされた携帯端末同士の間のみで可能であるという限界がある。
【先行技術文献】
【特許文献】
【０００６】
【特許文献１】韓国特許公開２００１−００６１９８９号公報
【発明の概要】
【発明が解決しようとする課題】
【０００７】
本発明の目的は、発信者と受信者の携帯端末の両方に専用アプリがインストールされなくても、ｍＶＯＩＰベースの無料通話および高品質の音声通話を実現することができる、異種網を利用した通話システムを提供することにある。
【課題を解決するための手段】
【０００８】
上記目的を達成するために、本発明によれば、ＭＮＯ（Ｍｏｂｉｌｅ Ｎｅｔｗｏｒｋ Ｏｐｅｒａｔｏｒ）およびプライベートモバイルネットワーク（Ｐｒｉｖａｔｅ ｍｏｂｉｌｅ ｎｅｔｗｏｒｋ）のいずれかを含むＩＰ網とＰＳＴＮ（Ｐｕｂｌｉｃ Ｓｗｉｔｃｈｅｄ Ｔｅｌｅｐｈｏｎｅ Ｎｅｔｗｏｒｋ）を利用してｍＶＯＩＰ（ｍｏｂｉｌｅ Ｖｏｉｃｅ ｏｖｅｒ Ｉｎｔｅｒｎｅｔ Ｐｒｏｔｏｃｏｌ）環境を実現し、これにより、音声通話をサポートするアプリ（Ａｐｐ）がインストールされる発信者端末および受信者端末にネットワーク接続され、前記アプリ（Ａｐｐ）が前記発信者端末にインストールされる場合、前記発信者端末が前記受信者端末に呼接続を要求するとき、前記アプリ（Ａｐｐ）を介して前記発信者端末の接続網、前記接続網の状態および音声通話オプションの少なくとも一つを含む網状態情報を獲得し、前記網状態情報に基づいて前記発信者端末と前記受信者端末との間の最低コストルートおよび最適品質ルートのいずれかを通信ルートとして設定し、前記通信ルートは前記ＩＰ網および前記ＰＳＴＮの選択的組み合わせによって形成される、異種網を利用した通話システムを提供する。
【０００９】
上記目的を達成するために、本発明によれば、発信者端末にＩＰ網およびＰＳＴＮのいずれかを介してネットワーク接続される第１メディアゲートウェイと；受信者端末にＩＰ網およびＰＳＴＮのいずれかを介してネットワーク接続される第２メディアゲートウェイと；前記発信者端末および前記受信者端末のいずれかにインストールされるアプリ（Ａｐｐ）を介して前記発信者端末および前記受信者端末のいずれかの接続網、網状態および音声通話オプションを含む網状態情報を獲得するメッセージ処理サーバーと；前記網状態情報を参照して通信コストおよび通話品質のいずれかによる通信ルートを形成するルートおよびコール処理サーバーと；を含んでなり、前記通信ルートは前記ＩＰ網および前記ＰＳＴＮの選択的組み合わせによって形成される、異種網を利用した通話システムを提供する。
【発明の効果】
【００１０】
本発明に係る異種網を利用した通話システムは、発信者端末と受信者端末をＩＰ網とＰＳＴＮを選択的に組み合わせて通信ルートを形成することにより、無料通話優先、通話品質優先および最適コスト優先の条件のうちいずれか一つを満たしながら、音声通話を行うことができるようにする。
【図面の簡単な説明】
【００１１】
【図１】従来の通話システムの網接続を示す参照図である。
【図２】本発明に係る異種網を利用した通話システムで発信者端末と受信者端末との間に音声パケットが移動する経路を示す概念図である。
【図３】本発明に係る通話システムを示すブロック概念図である。
【図４】プライベートモバイルネットワークとＭＮＯとが通信ルートで接続される方式を示す参照図である。
【図５】本発明の一実施形態に係る通話システムの呼処理および接続過程を示す流れ図である。
【図６】本発明の一実施形態に係る通話システムの呼処理および接続過程を示す流れ図である。
【発明を実施するための形態】
【００１２】
本明細書で言及される発信者端末と受信者端末は、携帯電話やスマートフォン、ＰＤＡ（Ｐｅｒｓｏｎａｌ Ｄｉｇｉｔａｌ Ａｓｓｉｓｔａｎｔ）などの携帯機器であるか、一般有線電話やインターネット電話などの通信機器である。アプリ（Ａｐｐ）のインストールが可能なものとしては携帯電話、スマートフォンおよびＰＤＡがあり、有線電話やインターネット電話はアプリのインストールが困ることがある。
【００１３】
一方、発信者端末と受信者端末が両方ともスマートフォンであるとしても、これらのうち、受信者端末には専用アプリ（Ａｐｐ）がインストールされないこともある。この場合、受信者端末は、アプリのインストールが要求されないので、一般有線電話、スマートフォン、フィーチャーフォン、インターネット電話、およびその他の音声通話ができる様々な装置であってもよい。特に限定はしない。
【００１４】
本明細書において、参照符号３０、４０は、ＭＮＯ（Ｍｏｂｉｌｅ Ｎｅｔｗｏｒｋ Ｏｐｅｒａｔｏｒ）またはＭＶＮＯ（Ｍｏｂｉｌｅ Ｖｉｒｔｕａｌ Ｎｅｔｗｏｒｋ Ｏｐｅｒａｔｏｒ）であってもよい。
【００１５】
本明細書で言及されるＶＯＩＰゲートウェイは、Ｈ．３２３、ＳＩＰ（Ｓｅｓｓｉｏｎ Ｉｎｉｔｉａｔｉｏｎ Ｐｒｏｔｏｃｏｌ）、ＭＧＣＰ（Ｍｅｄｉａ Ｇａｔｅｗａｙ Ｃｏｎｔｒｏｌ Ｐｒｏｔｏｃｏｌ）、ＩＡＸ（Ｉｎｔｅｒ−Ａｓｔｅｒｉｓｋ ｅＸｃｈａｎｇｅ）、ＷｅｂＲＴＣ（Ｗｅｂ Ｒｅａｌ−Ｔｉｍｅ Ｃｏｍｍｕｎｉｃａｔｉｏｎ）、ＲＴＰ（Ｒｅａｌ−Ｔｉｍｅ Ｔｒａｎｓｐｏｒｔ Ｐｒｏｔｏｃｏｌ）、ＳＲＴＰ（Ｓｅｃｕｒｅ Ｒｅａｌ−Ｔｉｍｅ Ｔｒａｎｓｐｏｒｔ Ｐｒｏｔｏｃｏｌ）およびＲＴＣＰ（ＲＴＰ Ｃｏｎｔｒｏｌ Ｐｒｏｔｏｃｏｌ）のうち少なくとも一つのプロトコルに応じて、発信者端末または受信者端末と音声通信を行うことができる。
【００１６】
本明細書で言及されるＰＳＴＮゲートウェイは、Ｎｏ．７（ＳＳ７）、ＩＳＤＮ ＢＲＩ、ＩＳＤＮ ＰＲＩ、Ｅ１／Ｔ１ ＭＦＣ−Ｒ２、Ｅ１／Ｔ１ ＣＡＳ、Ｔ１ Ｒｏｂｂｅｄ−Ｂｉｔ、Ａｎａｌｏｇ Ｌｏｏｐ Ｓｔａｒｔ、Ａｎａｌｏｇ Ｇｒｏｕｎｄ Ｓｔａｒｔ、  Ａｎａｌｏｇ Ｋｏｏｌ Ｓｔａｒｔ、ＧＳＭ（登録商標）、ＣＤＭＡ、ＷＣＤＭＡ（登録商標）、ＬＴＥ、ＬＴＥ Ａｄｖａｎｃｅｄのうち少なくとも一つのプロトコルに応じて、発信者端末または受信者端末と音声通信を行うことができる。特に限定はしない。
【００１７】
以下に添付図面を参照しながら、本発明を詳細に説明する。
図２は本発明に係る異種網を利用した通話システムで発信者端末と受信者端末との間に音声パケットが移動する経路を示す概念図である。
【００１８】
図２を参照すると、本発明の異種網を利用した通話システム（以下、「通話システム」という。）は、ＭＮＯ（Ｍｏｂｉｌｅ Ｎｅｔｗｏｒｋ Ｏｐｅｒａｔｏｒ）３０、４０とプライベートモバイルネットワーク５０、６０とを選択的に組み合わせて発信者端末１０と受信者端末２０との間に音声パケット通路を形成することができる。プライベートモバイルネットワーク５０、６０は、ワイファイ（Ｗｉ−Ｆｉ）やワイブロ（ＷｉＢｒｏ）をサポートする形態のプライベート無線ルーターまたは企業で運用する小規模無線網である。
【００１９】
ＭＮＯ３０、４０は、発信者端末１０と受信者端末２０との間に無線音声通話をサービスする通信会社に属し、２Ｇ、３Ｇ、４Ｇ、Ｗｉ−Ｆｉ、ＷｉＢｒｏ、ＷｉＭａｘ規格の無線通信を提供するシステムを意味することができる。同様に、プライベートモバイルネットワーク５０、６０も２Ｇ、３Ｇ、４Ｇ、Ｗｉ−Ｆｉ、ＷｉＢｒｏ、ＷｉＭａｘ規格のいずれか一つの無線通信をサポートすることができる。本発明に係る通話システムは、プライベートモバイルネットワーク５０、６０とＭＮＯ３０、４０を選択的に利用して通信ルートを形成することができる。例えば、本発明に係る通話システムは、発信者端末１０がＭＮＯ３０、４０を介して受信者端末２０と呼接続を行うこともでき、発信者端末１０がＭＮＯ３０およびプライベートモバイルネットワーク６０を介して受信者端末２０と呼接続を行うこともできる。また、発信者端末１０は、ＭＮＯ４０およびプライベートモバイルネットワーク６０を介して受信者端末２０と呼接続を行うこともできる。このように、本発明に係る通話システムは、ＭＮＯ３０、４０とプライベートモバイルネットワーク５０、６０とを選択的に接続して通話品質に優れた通信ルートを形成するか、無料通話を中心に通信ルートを形成するか、或いは最低コストの通信ルートを形成することができる。
【００２０】
ここで、無料通話は、発信者端末１０と受信者端末２０がワイファイ（Ｗｉ−Ｆｉ）のように無料通信を行うことが可能な領域に位置する場合に可能であるが、発信者端末１０がＭＮＯ３０、４０を利用する場合にも可能である。通常、発信者端末１０が携帯電話やスマートフォンなどの携帯端末であるとき、通信会社から無料通話時間が与えられる場合が多く、この場合、ＭＮＯ３０、４０を経由する通信ルートもある程度の時間までは無料で音声通話が可能な無料通話が行われ得る。この場合、通話システムは、通信会社側のサーバーを介して発信者端末１０が利用可能な無料通話時間についての情報を獲得することができる。
【００２１】
発信者端末１０に無料通話時間が与えられる場合、通話システム１００は、ＭＮＯ３０、４０を含む通信ルートを無料通話通信ルートとして形成することができ、このとき、通話システム１００は、発信者端末１０の無料通話時間をチェックしながら無料通話条件を満たすことができる。
【００２２】
図３は通話システムを示すブロック概念図である。
図３を参照すると、通話システム１００は、ルートおよびコール処理サーバー１１０、メッセージ処理サーバー１２０、ＶＯＩＰサーバー１３０、第１メディアゲートウェイ１４０および第２メディアゲートウェイ１５０を含んで構成できる。
【００２３】
第１メディアゲートウェイ１４０は、ＭＮＯ３０またはプライベートモバイルネットワーク５０を介して発信者端末１０にネットワーク接続され、ＭＮＯ３０との音声または画像データの送受信のためにＰＳＴＮゲートウェイまたはＶＯＩＰゲートウェイを含むことができ、ＭＮＯ３０にＰＳＴＮまたはＩＰ網を介して接続できる。同様に、プライベートモバイルネットワーク５０もＰＳＴＮまたはＩＰ網を介して第１メディアゲートウェイ１４０に接続できる。
【００２４】
第２メディアゲートウェイ１５０は、受信者端末２０と連結されるＭＮＯ４０またはプライベートモバイルネットワーク６０に接続できる。第２メディアゲートウェイ１５０は、第１メディアゲートウェイ１４０と同様に、ＰＳＴＮゲートウェイまたはＶＯＩＰゲートウェイを含むことができる。第１メディアゲートウェイ１４０と第２メディアゲートウェイ１５０は、ＭＮＯ３０、４０およびプライベートモバイルネットワーク５０、６０のプロトコルに応じて、発信者端末１０から受信者端末２０へ向かう音声パケットを変換する必要がある。第１メディアゲートウェイ１４０と第２メディアゲートウェイ１５０は、ＶＯＩＰ関連プロトコルの場合、ＳＩＰ（Ｓｅｓｓｉｏｎ Ｉｎｉｔｉａｔｉｏｎ Ｐｒｏｔｏｃｏｌ）、Ｈ．３２３、ＭＧＣＰ（Ｍｅｄｉａ Ｇａｔｅｗａｙ Ｃｏｎｔｒｏｌ Ｐｒｏｔｏｃｏｌ）またはＷｅｂＲＴＣ（Ｗｅｂ Ｒｅａｌ Ｔｉｍｅ Ｃｏｍｍｕｎｉｃａｔｉｏｎ）プロトコルを備えることができ、この他に、公衆電話網の音声処理関連プロトコルであるＮＯ．７（ＳＳ７）、Ｅ１／Ｔ１ ＩＳＤＮ、Ｅ１／Ｔ１ ＭＦＣ Ｒ２、Ａｎａｌｏｇ Ｌｏｏｐ Ｓｔａｒｔプロトコルを備えることもできる。特に限定はしない。
【００２５】
メッセージ処理サーバー１２０は、発信者端末１０または受信者端末２０から接続網が何なのか、網状態はどうなのか、発信者端末１０または受信者端末２０が設定した音声通話オプションは何なのかを判断し、状態情報を生成し、これをルートおよびコール処理サーバー１１０へ提供することができる。
【００２６】
ＶＯＩＰサーバー１３０は、発信者端末１０と受信者端末２０とが接続するとき、発信者端末１０と受信者端末２０のうち、発信者端末１０、または発信者端末１０と受信者端末２０の両方に同じ専用アプリがインストールされる場合、専用アプリを介してインスタントメッセージまたは音声パケットを送受信するようにすることができる。ここで、専用アプリは無料音声通信をサポートするアプリを指し示すことができるが、一例として、本出願人のウェブサイト（ｈｔｔｐ：／／ｗｗｗ．ｐｌａｙｏｔｏ．ｃｏｍ）で配布されるアプリを指し示すことができる。
【００２７】
ルートおよびコール処理サーバー１１０は、発信者端末１０または受信者端末２０の接続網、網状態、および発信者端末１０側の音声通話オプションを獲得し、音声通話オプションを参照して発信者端末１０が通話品質を最優先にするか、無料通話を最優先にするかを判断し、判断結果に基づいて通信ルートを形成することができる。通信ルートは、ＭＮＯ３０、４０、プライベートモバイルネットワーク５０、６０またはＰＳＴＮを選択的に組み合わせて形成することができる。このとき、発信者端末１０に通信サービスを提供する通信会社サーバーが発信者端末１０に提供する無料通信コストが存在する場合、通信ルートにＭＮＯ３０、４０が含まれていても無料通信に分類できるのである。
【００２８】
すなわち、通信ルートを無料通信と設定する場合、ＭＮＯ３０、４０が通信ルートに含まれても無料通話が可能であることを意味する。
【００２９】
図４はプライベートモバイルネットワークとＭＮＯとが通信ルートで接続される方式を示す参照図である。
【００３０】
図４を参照すると、携帯端末８０、８１は、モバイルネットワークが可能な機種であり、付近の無線ルーターまたは企業用無線網に無線接続できる。無線ルーターまたは企業用無線網は有線ネットワークに接続できる。このような無線ルーターまたは企業用無線網はプライベートモバイルネットワークといえる。
【００３１】
プライベートモバイルネットワークを利用して、携帯端末８０、８１は、ＭＮＯ３１にネットワーク接続でき、ＭＮＯ３１を介して受信者端末８２にネットワーク接続できる。
【００３２】
このようなネットワーク接続を介して、携帯端末８０、８１は、受信者端末８２とＶＯＩＰベースで接続できる。このとき、通信会社サーバーに所属するＭＮＯ３１が携帯端末８０、８１に無料データ利用時間を割り当てることが可能な場合、ＭＮＯ３１とプライベートモバイルネットワークとの組み合わせ形態でも、無料通話が可能な通信ルートを形成することができるのである。場合によっては、通信会社が提供する無料通話イベントを用いて、無料通話が可能な通信ルートを形成することもできる。このために、通話システムは、通信会社サーバーに接続されて通信会社サーバーを介して携帯端末８０、８１の無料通話時間とイベント情報を獲得することが好ましい。
【００３３】
図５および図６は本発明に係る通話システムの呼処理および接続過程を示す流れ図である。
【００３４】
まず、図５は通話品質を優先にする最適品質ルートに対する流れ図を示す。
図５を参照すると、発信者端末１０と受信者端末２０は、ＶＯＩＰサーバー１３０にログインするか或いはユーザー登録を行うことができる。
【００３５】
メッセージ処理サーバー１２０は、ＶＯＩＰサーバー１３０に登録された（またはログインされた、以下省略する。）発信者端末１０と受信者端末２０から状態情報を獲得し、これをルートおよびコール処理サーバー１１０へ提供することができる。ここで、状態情報は、発信者端末１０と受信者端末２０がそれぞれ属する通信網、網の品質および音声通話オプションを含む情報であって、音声通話オプションは、通話品質が優先なのか、通話コストが優先なのかを設定する情報を意味することができる。通話品質が優先される場合、ルートおよびコール処理サーバー１１０は、発信者端末１０と受信者端末２０が高い通話コストを支払っても切れず、優れた音声識別力を有するＭＮＯ３０、４０およびプライベートモバイルネットワーク５０、６０を用いて通信ルートを形成しなければならず、通話コストが優先される場合、Ｗｉ−Ｆｉ、ＷｉＢｒｏおよびその他の無料通話をサポートするネットワークを最大限活用して通信ルートを形成しなければならない。このとき、発信者端末１０で設定された音声通話オプションに応じて、発信者端末１０が負担すべき通信コストに関する情報がルートおよびコール処理サーバー１１０に提供できる。
【００３６】
ルートおよびコール処理サーバー１１０に状態情報が提供されると、ＶＯＩＰサーバー１３０は、発信者端末１０と受信者端末２０のログイン状態をルートおよびコール処理サーバー１１０に通報し、ルートおよびコール処理サーバー１１０は、データベース（図示せず）に発信者情報、発信者アプリ情報、課金情報、受信者（着信者は、以下省略する）情報、および呼処理情報を保存し、メッセージ処理サーバー１２０へＰＳＴＮ、ＶＯＩＰ接続番号、課金情報、受信者情報を含むルート情報を提供することができる。メッセージ処理サーバー１２０は、発信者端末１０にルート情報を提供し、発信者端末１０が第１メディアゲートウェイ１４０にＰＳＴＮまたはＶＯＩＰに接続し、第１メディアゲートウェイ１４０は、ルートおよびコール処理サーバー１１０へ発信者端末１０のコール接続情報を伝送することができる。その後、ルートおよびコール処理サーバー１１０は、発信者と受信者の情報を照会し、発信者端末１０と受信者端末２０の網状態を照会した後、最適の状態を持つ網を組み合わせて通信ルートを形成する。次いで、ルートおよびコール処理サーバー１１０は、通信ルートに関する情報（ルート情報）を第１メディアゲートウェイ１４０および第２メディアゲートウェイ１５０に提供し、これにより発信者端末１０と受信者端末２０との間に呼接続を行うことができる。
【００３７】
図６は発信者端末のみに呼処理のための専用アプリがインストールされる場合に対する流れ図を示す。
【００３８】
図６を参照すると、発信者端末１０にはコール処理のための専用アプリがインストールされるが、受信者端末２０にはインストールされない場合を示すもので、発信者端末１０のみＶＯＩＰサーバー１３０にログイン（または登録）する。その後、発信者端末１０はメッセージ処理サーバー１２０へ状態情報を提供し、メッセージ処理サーバー１２０はこれをルートおよびコール処理サーバー１１０へ伝達することができる。
【００３９】
このとき、発信者端末１０は、発信者情報、発信者アプリ情報、発信者電話番号および受信者電話番号を含む呼処理情報をメッセージ処理サーバー１２０を経由してルートおよびコール処理サーバー１１０へ伝達する。
【００４０】
ルートおよびコール処理サーバー１１０は、発信者情報、発信者アプリ情報、課金情報および受信者情報を含む呼処理情報をデータベースに保存し、その後、メッセージ処理サーバー１２０を経由して発信者端末１０へルート情報を提供することができる。発信者端末１０はルート情報を参照して第１メディアゲートサーバー１４０に接続し、第１メディアゲートサーバー１４０はルートおよびコール処理サーバー１１０に発信者端末１０のコール接続情報を伝達することができる。ルートおよびコール処理サーバー１１０は、発信者情報および受信者情報を照会し、発信者端末１０と受信者端末２０の網状態を照会し、呼接続のための対象、すなわちルート対象を決定することができる。以後は図５を介して上述したのと同様なので、これを準用するものとする。
【図１】
0006374407.tif 000002
【図２】
0006374407.tif 000003
【図３】
0006374407.tif 000004
【図４】
0006374407.tif 000005
【図５】
0006374407.tif 000006
【図６】
0006374407.tif 000007